(57)【要約】【課題】組立時にシール部材が損傷しにくい光コネクタを提供する。【解決手段】ハウジング３の貫通孔３４の途中に、シール部材９を圧縮状態で収容するシール部材収容部３４３を形成する。挿入部材５が貫通孔３４に挿入されたときにシール部材９をシール部材収容部３４３に押し込む押込部５１を、挿入部材５に設けた。【選択図】図２
2010217685.tif 000002
【特許請求の範囲】
【請求項１】
貫通孔を有するハウジングと、
前記貫通孔に挿入される挿入部材と、
光ファイバを保持し、前記貫通孔に収容される保持部材と、
前記保持部材の外周面に装着され、流体が前記貫通孔を通過するのを阻止するシール部材とを備え、
前記ハウジングの貫通孔の途中に、前記シール部材を圧縮状態で収容するシール部材収容部が形成され、
前記挿入部材が前記貫通孔に挿入されたときに前記シール部材を前記シール部材収容部に押し込む押込部が、前記挿入部材に設けられている
ことを特徴とする光コネクタ。
【請求項２】
前記保持部材が、前記光ファイバを保持するフェルールと、このフェルールの挿入部材側端部に装着され、前記挿入部材が前記貫通孔に挿入されたときに前記シール部材を受け止めるフランジ部を有するフランジ部材とで構成され、
前記フランジの外周面に凹部が形成され、前記ハウジングの貫通孔の内周面に前記凹部に嵌合可能な凸部が形成されている
ことを特徴とする請求項１記載の光コネクタ。
【請求項３】
前記挿入部材が前記貫通孔に挿入されたときに前記貫通孔から外部へ突出する操作部が、前記挿入部材に設けられていることを特徴とする請求項１又は２記載の光コネクタ。
【発明の詳細な説明】
【技術分野】
【０００１】
この発明は光コネクタに関し、特に防水性を有する光コネクタに関する。
【背景技術】
【０００２】
従来、シェル部材とインシュレータとフェルールと封止部材とファイバ保持部材とを備える光コネクタが知られている（下記特許文献１参照）。
【０００３】
シェル部材はほぼ円筒状であり、その外周面にはフランジ状のシェル保持部が形成されている。シェル部材の先端部の内周面には突起が形成され、シェル部材の後端部の内周面には周方向に沿って溝が形成され、溝にはストッパ部材が着脱可能に装着される。
【０００４】
インシュレータはほぼ円柱状であり、シェル部材に挿入され、シェル部材の突起とストッパ部材とで固定される。インシュレータには貫通穴が形成されている。貫通穴は光コネクタの相手側光コネクタに対する嵌合・離脱方向へ延びている。貫通穴の後端部の内周面には雌ネジが形成されている。貫通穴の先端部の内径は貫通穴の他の部分の内径よりも小さく、貫通穴の他の部分の内径はほぼ等しい。
【０００５】
フェルールはほぼ円筒状であり、光ファイバコードの一端部の光ファイバ素線を保持する。フェルールはフランジ状のフェルール保持部を有する。
【０００６】
フェルールはインシュレータの貫通穴に挿入される。フェルールの先端部は貫通穴の先端部から突出する。フェルールのフェルール保持部はインシュレータの貫通穴の先端部に突き当たる。
【０００７】
封止部材は弾性部材で形成され、ほぼリング状であり、フェルールの後端部に装着される。封止部材は水が貫通穴を通過するのを阻止する。
【０００８】
ファイバ保持部材はほぼ円筒状であり、ファイバ貫通穴を有する。ファイバ貫通穴には光ファイバコードが通される。また、ファイバ貫通穴の先端部にはフェルールの後端部が挿入される。ファイバ保持部材の後端部の外周面にはインシュレータの雌ネジにねじ込まれる雄ネジが形成されている。
【０００９】
次に、この従来の光コネクタの組立について説明する。
【００１０】
予め、ファイバ保持部材に光ファイバコードを通しておくとともに、封止部材が装着されたフェルールに光ファイバコードの一端部の光ファイバ素線を保持させておく。
【００１１】
まず、インシュレータがシェル部材の突起に突き当たるまでインシュレータをシェル部材に挿入する。
【００１２】
インシュレータがシェル部材の突起に突き当たったら、シェル部材の溝にストッパ部材を装着してインシュレータをシェル部材に固定する。
【００１３】
次に、封止部材を装着したフェルールをインシュレータの貫通穴に挿入し、フェルールを治具等を用いて貫通穴の先端部まで押し込む。フェルールが押し込まれると、フェルールの先端部は貫通穴から前方へ突出する。
【００１４】
最後に、ファイバ保持部材をインシュレータの貫通穴に挿入し、ファイバ保持部材の雄ネジをインシュレータの雌ネジにねじ込み、ファイバ保持部材の先端で封止部材をフェルールのフェルール保持部に押し付ける。
【００１５】
以上の作業工程を経て光コネクタの組立が完了する。
【先行技術文献】
【特許文献】
【００１６】
【特許文献１】特開平１０−３１１９３３号公報（段落００１６〜００２２、図１）
【発明の概要】
【発明が解決しようとする課題】
【００１７】
上述の光コネクタでは、封止部材が装着されたフェルールをインシュレータの貫通穴に挿入し、治具等で貫通穴の先端部まで押し込んだとき、封止部材が貫通穴の内周面（特に雌ねじの部分）を擦りながら移動するので、封止部材が損傷するおそれがある。その結果、光コネクタの防水性を得られなくなることがあった。
【００１８】
この発明はこのような事情に鑑みてなされたもので、その課題は組立時にシール部材が損傷しにくい光コネクタを提供することである。
【課題を解決するための手段】
【００１９】
前述の課題を解決するため請求項１の発明の光コネクタは、貫通孔を有するハウジングと、前記貫通孔に挿入される挿入部材と、光ファイバを保持し、前記貫通孔に収容される保持部材と、前記保持部材の外周面に装着され、流体が前記貫通孔を通過するのを阻止するシール部材とを備え、前記ハウジングの貫通孔の途中に、前記シール部材を圧縮状態で収容するシール部材収容部が形成され、前記挿入部材が前記貫通孔に挿入されたときに前記シール部材を前記シール部材収容部に押し込む押込部が、前記挿入部材に設けられていることを特徴とする。
【００２０】
ハウジングの貫通孔に挿入された挿入部材の押込部によって貫通孔の途中に位置するシール部材収容部にシール部材が押し込まれたとき、シール部材が圧縮され、その復帰力によりシール部材がシール部材収容部の内周面と保持部材の外周面とに押し付けられて、高いシール力が生じる。また、シール部材はハウジングの貫通孔の途中に位置するシール部材収容部に押し込まれたときはじめて貫通孔の内周面に接触する。すなわち、シール部材はシール部材収容部に押し込まれるまでは貫通孔の内周面に接触しない。
【００２１】
請求項２の発明は、請求項１記載の光コネクタにおいて、前記保持部材が、前記光ファイバを保持するフェルールと、このフェルールの挿入部材側端部に装着され、前記挿入部材が前記貫通孔に挿入されたときに前記シール部材を受け止めるフランジ部を有するフランジ部材とで構成され、前記フランジの外周面に凹部が形成され、前記ハウジングの貫通孔の内周面に前記凹部に嵌合可能な凸部が形成されていることを特徴とする。
【００２２】
請求項３の発明は、請求項１又は２記載の光コネクタにおいて、前記挿入部材が前記貫通孔に挿入されたときに前記貫通孔から外部へ突出する操作部が、前記挿入部材に設けられていることを特徴とする。
【発明の効果】
【００２３】
この発明によれば、組立時にシール部材が損傷しにくい光コネクタを提供することができる。
【図面の簡単な説明】
【００２４】
【図１】図１はこの発明の一実施形態の光コネクタと光アダプタとの嵌合状態を示す斜視図である。
【図２】図２は図１に示す光コネクタと光アダプタとの断面図である。
【図３】図３は図１に示す光コネクタの斜視図である。
【図４】図４は図１に示す光コネクタのハウジングの斜視図である。
【図５】図５は図４に示すハウジングの背面図である。
【図６】図６は図１に示す光コネクタのハウジングの断面図である。
【図７】図７は図２に示す光コネクタの保持部材の部分断面図である。
【図８】図８は図７に示す保持部材の背面図である。
【図９】図９は図１に示す光アダプタの斜視図である。
【図１０】図１０は図９に示す光アダプタの断面図である。
【図１１】図１１はハウジングに保持部材の一部を挿入した状態を示す断面図である。
【図１２】図１２はハウジングのシール部材収容部にシール部材が収容される直前の状態を示す断面図である。
【図１３】図１３はハウジングのシール部材収容部にシール部材が収容された状態を示す断面図である。
【図１４】図１４はシール部材収容部にシール部材が収容された後にハウジングから挿入部材を抜いた状態を示す断面図である。
【図１５】図１５はハウジングに挿入部材をねじ込んだ状態を示す断面図である。
【図１６】図１６は光コネクタに光アダプタを接続する前の状態を示す斜視図である。
【図１７】図１７は光アダプタに相手側光コネクタを接続する前の状態を示す斜視図である。
【図１８】図１８は光アダプタに相手側光コネクタ接続した状態を示す斜視図である。
【発明を実施するための形態】
【００２５】
以下、この発明の実施の形態を図面に基づいて説明する。
【００２６】
図１はこの発明の一実施形態の光コネクタ１と光アダプタ２０との嵌合状態を示す斜視図、図２は図１に示す光コネクタ１と光アダプタ２０との断面図、図３は図１に示す光コネクタ１の斜視図、図４は図１に示す光コネクタ１のハウジング３の斜視図、図５は図４に示すハウジング３の背面図、図６は図１に示す光コネクタ１のハウジング３の断面図である。なお、図１ではパネル１７が省略されている。
【００２７】
図１に示すように、光コネクタ１は光アダプタ２０と組み合わされて使用される。
【００２８】
図２、図３に示すように、光コネクタ１はハウジング３と挿入部材５と保持部材７とシール部材９とスリーブ１１とシール部材１２とを備えている。光コネクタ１は光ファイバコード１９に接続され、パネル１７に固定されている。光ファイバコード１９は、図示しない繊維状のコア及びこのコアを覆うクラッドからなる光ファイバ並びにこの光ファイバを覆う一次被覆で構成された光ファイバ素線１９１と、光ファイバ素線１９１を覆う二次被覆１９２と、二次被覆１９２を覆う外皮１９３とで構成されている。
【００２９】
図４、図５、図６に示すように、ハウジング３はプレート状部３１と角柱状部３２と円柱状部３３とを有する。
【００３０】
プレート状部３１は矩形であり、プレート状部３１の角部にはそれぞれねじ挿入孔３１１が形成されている。プレート状部３１の円柱状部３３側の面には溝３１２が形成されている。溝３１２をハウジング３の後側から見たとき、溝３１２は円柱状部３３を取り囲んでいる（図５参照）。
【００３１】
角柱状部３２はプレート状部３１の前側に形成されている。角柱状部３２の２つの角部にはそれぞれガイド穴３２１が形成されている。２つのガイド穴３２１は同じ対角線上に位置する。角柱状部３２の両側面にはピン挿入孔３２２が形成されている（図４参照）。ピン挿入孔３２２にはピン３５が挿入され、固定されている（図３参照）。角柱状部３２の上面にはキー溝３２３が形成されている。
【００３２】
円柱状部３３はプレート状部３１の後側に形成されている。
【００３３】
ハウジング３の中心部には貫通孔３４が形成されている。図６に示すように、貫通孔３４の内径は一様ではなく、内径を違えることによって貫通孔３４の内周面に、フェルール保持部３４１、フランジ収容部３４２、シール部材収容部３４３、収容部３４４、めねじ部３４５及び受容部３４６が形成されている。ハウジング３の前側（図６の左側）から後側（図６の右側）へ、受容部３４６、フェルール保持部３４１、フランジ収容部３４２、シール部材収容部３４３、収容部３４４及びめねじ部３４５の順に並んでいる。
【００３４】
ハウジング３の光アダプタ２０に対する嵌合・離脱方向Ｄでフェルール保持部３４１は貫通孔３４のほぼ中間位置にあり、フランジ収容部３４２等の他の部分の内径に較べ、フェルール保持部３４１の内径はもっとも小さい。フランジ収容部３４２はフェルール保持部３４１の後側に連なる。フランジ収容部３４２の内径はフェルール保持部３４１の内径よりも大きい。フランジ収容部３４２の内周面には凸部３４２ａが形成されている（図５参照）。シール部材収容部３４３はフランジ収容部３４２の後側に連なる。シール部材収容部３４３の内径はフランジ収容部３４２の内径よりも大きい。収容部３４４はシール部材収容部３４３の後側に連なる。収容部３４４の内径はシール部材収容部３４３の内径よりも大きい。めねじ部３４５は収容部３４４の後側に連なる。めねじ部３４５の内径は収容部３４４の内径よりも小さい。めねじ部３４５の内周面にはめねじ（図示省略）が形成されている。受容部３４６はフェルール保持部３４１の前側に連なる。受容部３４６は大径部分３４６ａと小径部分３４６ｂとを有する。大径部分３４６ａは小径部分３４６ｂの前側に位置する。大径部分３４６ａの内径は小径部分３４６ｂの内径よりも大きい。
【００３５】
図２に示すように、挿入部材５は押込部５１とおねじ部５２と操作部５３とを有し、操作部５３を除き、ハウジング３の貫通孔３４に挿入される。押込部５１は円柱状であり、おねじ部５２が貫通孔３４のめねじ部３４５にねじ込まれたとき、シール部材収容部３４３に挿入される。おねじ部５２は円柱状であり、押込部５１の後側に連なる。おねじ部５２の外径は押込部５１の外径よりも大きい。おねじ部５２の外周面にはおねじ（図示省略）が形成されている。おねじ部５２はめねじ部３４５にねじ込まれる。挿入部材５の中心部には貫通孔５４が形成されている。
【００３６】
図７は図２に示す光コネクタ１の保持部材７の部分断面図、図８は図７に示す保持部材７の背面図である。図７では保持部材７の上半分が切断されている。
【００３７】
図２に示すように、保持部材７は光ファイバ素線１９１を保持し、ハウジング３の貫通孔３４に収容される。図７に示すように、保持部材７はフェルール７１とフランジ部材７２とで構成されている。
【００３８】
図７に示すように、フェルール７１は例えばジルコニア製であり、ほぼ円柱状である。フェルール７１の中心部には保持孔７１１が形成されている。保持孔７１１には光ファイバコード１９の光ファイバ素線１９１が挿入され、保持されている。フェルール７１の後端部にはテーパ面７１２が形成されている。テーパ面７１２は保持孔７１１の内周面に連なる。テーパ面７１２は光ファイバ素線１９１を保持孔７１１に導く。
【００３９】
フランジ部材７２は例えばステンレス製であり、フランジ部７２１と大径部７２２と小径部７２３とを有する。フランジ部７２１の外周面には４つの凹部７２１ａが等間隔に形成されている。フランジ部７２１はハウジング３の貫通孔３４のフランジ収容部３４２に収容される。このとき、４つのうちの１つの凹部７２１ａにハウジング３の凸部３４２ａが嵌合する。これにより、保持部材７の回転が阻止される。また、凸部３４２ａと嵌合する凹部７２１ａを４つの凹部７２１ａのなかから適宜選択することによって、相手側光ファイバ素線（図示せず）に対する光ファイバ素線１９１の光軸回りの位置を調節することができる。大径部７２２はフランジ部７２１の後側に連なる。大径部７２２の外径はフランジ部７２１の外径よりも小さい。小径部７２３は大径部７２２の後側に連なる。小径部７２３の外径は大径部７２２の外径よりも小さい。
【００４０】
フランジ部材７２の中心部には大径孔７２４と小径孔７２５とが形成されている。大径孔７２４は保持部材７の長手方向Ｌに沿ってフランジ部７２１の前端面から大径部７２２の中間位置まで延びている。大径孔７２４はフェルール７１の後端部を受け容れ、保持する。小径孔７２５は長手方向Ｌに沿って大径部７２２の中間位置から小径部７２３の後端まで延びている。小径孔７２５は光ファイバコード１９の光ファイバ素線１９１をフェルール７１の保持孔７１１へ通すとともに、二次被覆１９２の先端部を支持する。小径孔７２５の外径は光ファイバコード１９の外皮１９３の外径とほぼ同じである。
【００４１】
図２、図７に示すように、シール部材９はフランジ部材７２の大径部７２２の外周面に装着され、フランジ部７２１に接触している。シール部材９は弾性部材で形成され、ほぼリング状であり、例えばＯリングである。シール部材９は大径部７２２に装着された状態で、ハウジング３の貫通孔３４のシール部材収容部３４３に収容される。このとき、シール部材９は大径部７２２の外周面とシール部材収容部３４３の内周面とで挟まれ、シール部材９の径方向（外径方向）で圧縮された状態になる。
【００４２】
図２に示すように、スリーブ１１はフランジ部材７２の小径部７２３と光ファイバコード１９の外皮１９３の先端部とを受け容れ、保持部材７と光ファイバコード１９とを連結している。
【００４３】
図２に示すように、シール部材１２はハウジング３のプレート状部３１の溝３１２に収容され、プレート状部３１をねじ１８でパネル１７に固定したときにプレート状部３１とパネル１７との間をシールする。
【００４４】
図９は図１に示す光アダプタ２０の斜視図、図１０は図９に示す光アダプタ２０の断面図である。
【００４５】
図９、図１０に示すように、光アダプタ２０はハウジング２１と割スリーブ２２とスリーブホルダ２３とプレート２４とレバー２５とを有する。
【００４６】
ハウジング２１はハウジング本体２１１と嵌合部２１２とを有する。嵌合部２１２はハウジング本体２１１の後面に連なる。嵌合部２１２の上部にはキー溝２１２ａが形成されている。嵌合部２１２には相手側光コネクタ４０（図１７、図１８参照）が嵌合する。
【００４７】
割スリーブ２２はスリーブホルダ２３に収容され、保持されている。
【００４８】
スリーブホルダ２３は第１ホルダ部材２３１と第２ホルダ部材２３２とで構成されている。
【００４９】
プレート２４は第１ホルダ部材２３１と第２ホルダ部材２３２とで挟持されている。プレート２４には一対のガイドピン２４１が設けられている。ガイドピン２４１は光コネクタ１のハウジング３のガイド穴３２１に挿入される。プレート２４はねじ２６によってハウジング本体２１１の前面に固定される。
【００５０】
レバー２５はハウジング２１に回転可能に取り付けられている。レバー２５の先端部にはフック部２５１が形成されている。フック部２５１は光コネクタ１のピン３５に引っ掛けられる。これにより、光アダプタ２０が光コネクタ１にロックされる。
【００５１】
図１１〜図１５は図１に示す光コネクタ１のハウジング３に保持部材７、スリーブ１１、シール部材９及び挿入部材５を組み付ける手順を示し、図１１はハウジング３に保持部材７の一部を挿入した状態を示す断面図、図１２はハウジング３のシール部材収容部３４３にシール部材９が収容される直前の状態を示す断面図、図１３はハウジング３のシール部材収容部３４３にシール部材９が収容された状態を示す断面図、図１４はシール部材収容部３４３にシール部材９が収容された後にハウジング３から挿入部材５を抜いた状態を示す断面図、図１５はハウジング３に挿入部材５をねじ込んだ状態を示す断面図である。なお、図１１〜図１５において、光コネクタ１のハウジング３に光アダプタ２０が嵌合しているが、ハウジング３に保持部材７、スリーブ１１、シール部材９及び挿入部材５を組み付けるとき、ハウジング３に光アダプタ２０が嵌合していなくても構わない。
【００５２】
次に、光コネクタ１の組立について説明する。
【００５３】
図１１に示すように、まず、シール部材９が装着されたフランジ部材７２とフェルール７１とを組み合せ、光ファイバコード１９の光ファイバ素線１９１をフランジ部材７２を介してフェルール７１に挿入するとともに光ファイバ素線１９１をフェルール７１に接着して保持させる。このとき、前もって光ファイバコード１９を挿入部材５及びスリーブ１１に通しておく。また、光ファイバコード１９の外皮１９３の先端はフランジ部材７２の小径部７２３の後端に突き当てる。
【００５４】
次に、スリーブ１１をフランジ部材７２の大径部７２２に突き当たるまで移動させる。
【００５５】
その後、スリーブ１１を摘んで、図１２に示すように、フランジ部材７２に装着されたシール部材９がハウジング３の貫通孔３４のシール部材収容部３４３の後端に突き当たるまで、スリーブ１１を貫通孔３４に挿入する。このとき、フェルール７１が光アダプタ２０の割スリーブ２２に挿入されるので、フェルール７１の振れが抑制される。
【００５６】
次に、図１３に示すように、挿入部材５のおねじ部５２が貫通孔３４のめねじ部３４５に突き当たるまで挿入部材５を貫通孔３４内に挿入する（このとき、挿入部材５を貫通孔３４にねじ込む動作を行わない）。その結果、シール部材９が挿入部材５の押込部５１によって貫通孔３４のシール部材収容部３４３内に押し込まれる。シール部材収容部３４３に押し込まれたシール部材９がその径方向で圧縮された状態になり、貫通孔３４をシールする。
【００５７】
その後、図１４に示すように、挿入部材５を貫通孔３４から一旦引き抜く。その結果、シール部材収容部３４３に収容されたシール部材９を外部から見ることができるので、シール部材９がねじれたり、破損したりしていないかを確認することができる。
【００５８】
最後に、図１５に示すように、挿入部材５を貫通孔３４に再度挿入し、挿入部材５のおねじ部５２をハウジング３のめねじ部３４５にねじ込む。その結果、シール部材９は挿入部材５の押込部５１によって押圧され、シール部材収容部３４３内を前方へ移動する。
【００５９】
以上の工程を経て光コネクタ１の組立が完了する。
【００６０】
図１６は光コネクタ１に光アダプタ２０を接続する前の状態を示す斜視図、図１７は光アダプタ２０に相手側光コネクタ４０を接続する前の状態を示す斜視図、図１８は光アダプタ２０に相手側光コネクタ４０を接続した状態を示す斜視図である。
【００６１】
次に、光アダプタ２０を介して光コネクタ１と相手側光コネクタ４０とを接続する作業について説明する。
【００６２】
図１６に示すように、まず、パネル１７に固定された光コネクタ１に光アダプタ２０を向かい合わせ、光アダプタ２０の一対のガイドピン２４１（図１６では一方のガイドピン２４１だけが示されている）をそれぞれ光コネクタ１のガイド穴３２１に挿入する。その結果、光アダプタ２０の割スリーブ２２（図２参照）が嵌合・離脱方向Ｄへ案内され、相対的に割スリーブ２２内に光コネクタ１のフェルール７１が挿入される。割スリーブ２２内のフェルール７１は割スリーブ２２によって確実に保持される。
【００６３】
次に、光アダプタ２０のレバー２５を回転させて、レバー２５のフック部２５１を光コネクタ１のピン３５に引っ掛け、光アダプタ２０を光コネクタ１に固定する（図１７参照）。
【００６４】
最後に、図１７に示すように、相手側光コネクタ４０を光アダプタ２０に向かい合わせ、嵌合・離脱方向Ｄに沿って相手側光コネクタ４０を光アダプタ２０の嵌合部２１２に挿入する。このとき、図１８に示すように、相手側光コネクタ４０のキー４１を光アダプタ２０の嵌合部２１２のキー溝２１２ａに挿入する。これにより、相手側光コネクタ４０と光アダプタ２０との異常嵌合が防止される。
【００６５】
以上の作業により、光コネクタ１と相手側光コネクタ４０とが光アダプタ２０を介して接続される。
【００６６】
この実施形態によれば、ハウジング３の貫通孔３４に挿入された挿入部材５の押込部５１によって、シール部材９が貫通孔３４の途中のシール部材収容部３４３に押し込まれるまではシール部材９は圧縮されず、シール部材収容部３４３に押し込まれたときにはじめて圧縮されるので、シール部材がハウジングの貫通孔に挿入されるとすぐに圧縮され、貫通孔の内周面を擦りながら所定位置（シール部材固定位置）に配置される前述の従来技術に較べ、シール部材の損傷を抑制することができる。
【００６７】
また、挿入部材５の押込部５１によってシール部材９がシール部材収容部３４３に押し込まれた後に、挿入部材５を貫通孔３４から引き抜けば、シール部材収容部３４３に収容されたシール部材９がシール部材収容部３４３に正常に収容されたか、シール部材９が損傷しているかを外部から眼で確認することができる。このとき、挿入部材５は貫通孔３４にねじ込まれていないので、挿入部材５を簡単に外すことができ、シール部材９の確認作業を迅速に行うことができる。
【００６８】
更に、光コネクタ１はスリーブ１１を備えているので、スリーブ１１を摘んでハウジング３の貫通孔３４に挿入することができ、光ファイバコード１９の光ファイバ素線１９１を損傷するおそれが少ない。
【００６９】
また、挿入部材５は操作部５３を有するので、操作部５３を操作することによって挿入部材５を簡単に操作することができる。
【００７０】
なお、上述の実施形態では保持部材７はフェルール７１とフランジ部材７２とで構成されているが、保持部材をフェルールだけで構成してもよい。
【００７１】
また、上述の挿入部材５は貫通孔３４から突出する操作部５３を有するが、貫通孔３４から突出する操作部５３は必ずしも必要ではない。
【００７２】
なお、上述の実施形態では、フェルール７１は光ファイバ素線１９１を保持している（光ファイバを一次被覆を介して間接的に保持している）が、フェルール７１は光ファイバを直接保持してもよいし、光ファイバを一次被覆及び二次被覆１９２を介して間接的に保持してもよい。
【符号の説明】
【００７３】
１  光コネクタ
３  ハウジング
３４  貫通孔
３４２ａ  凸部
３４３  シール部材収容部
５  挿入部材
５１  押込部
５３  操作部
７  保持部材
７１  フェルール
７２  フランジ部材
７２１  凸部
７２１ａ  凹部
９  シール部材
１９  光ファイバコード
１９１  光ファイバ素線
【図１】
2010217685.tif 000003
【図２】
2010217685.tif 000004
【図３】
2010217685.tif 000005
【図４】
2010217685.tif 000006
【図５】
2010217685.tif 000007
【図６】
2010217685.tif 000008
【図７】
2010217685.tif 000009
【図８】
2010217685.tif 000010
【図９】
2010217685.tif 000011
【図１０】
2010217685.tif 000012
【図１１】
2010217685.tif 000013
【図１２】
2010217685.tif 000014
【図１３】
2010217685.tif 000015
【図１４】
2010217685.tif 000016
【図１５】
2010217685.tif 000017
【図１６】
2010217685.tif 000018
【図１７】
2010217685.tif 000019
【図１８】
2010217685.tif 000020